(57)【要約】      （修正有）【課題】背の高い冷蔵庫においても、その上部の貯蔵庫の上部の棚の奥側への物品の収納と取り出しがし易い棚装置を提供する。また、物品の重量支持も安定した搬送ベルト方式を提供する。   【解決手段】貯蔵室の左右側壁に設けた棚支持部に載置した棚本体と、この棚本体の略横幅に渡る長さでもってこの棚本体の前部と後部に回転自在に取り付けたローラと、この前後のローラに架け渡されてこれらローラの回転と共に回転する搬送ベルトから構成され、前記棚本体は、前記ローラの左右端部と前記搬送ベルトの左右端部を覆って前記棚支持部に載置される左右支持枠と、この左右支持枠を連結するようにこの左右支持枠に水平状態に渡る棚板部を合成樹脂にて形成され、前記棚板部が前記搬送ベルト上に載置された物品の荷重支え部となる。【選択図】図４
2005207707.tif 000002
【特許請求の範囲】
【請求項１】
貯蔵室の左右側壁に設けた棚支持部に載置した棚本体と、この棚本体の略横幅に渡る長さでもってこの棚本体の前部と後部に回転自在に取り付けたローラと、この前後のローラに架け渡されてこれらローラの回転と共に回転する搬送ベルトから構成され、前記棚本体は、前記ローラの左右端部と前記搬送ベルトの左右端部を覆って前記棚支持部に載置される左右支持枠と、この左右支持枠を連結するようにこの左右支持枠に水平状態に渡る棚板部を合成樹脂にて形成され、前記棚板部が前記搬送ベルト上に載置された物品の荷重支え部となることを特徴とする貯蔵室の棚装置。
【請求項２】
前記搬送ベルトにて搬送される物品の脱落防止用ストッパを前記左右支持枠の前端部に渡って設けたことを特徴とする請求項１に記載の貯蔵室の棚装置。
【請求項３】
前記左右支持枠の前端部に渡って前記搬送ベルトの前端部を覆う前カバーを設けたことを特徴とする請求項１に記載の貯蔵室の棚装置。
【請求項４】
貯蔵室の左右側壁の棚支持部に載置される左右支持枠と、この左右支持枠に渡る長さを有してこの左右支持枠の前部と後部に回転自在に取り付けた前後のローラと、これらのローラに架け渡されてこれらのローラの回転と共に回転する搬送ベルトと、前記前後のローラ間に水平状態に近接配置されて前記左右支持枠に回転自在に取り付けた複数の中間ローラと、前記搬送ベルトを回転させるために前記左右支持枠に渡る長さを有して前記左右支持枠の前部に回転自在に取り付けた駆動ローラとからなる貯蔵室の棚装置。
【発明の詳細な説明】
【技術分野】
【０００１】
本発明は、冷蔵庫等の貯蔵室に設けた食品載置用の棚装置に関する。
【背景技術】
【０００２】
冷蔵庫内の棚を水平状態と前傾状態とに選択支持で切るものがある。（例えば、特許文献１参照）。
【特許文献１】特願２００３−００４０５５号
【発明の開示】
【発明が解決しようとする課題】
【０００３】
特許文献１の冷蔵庫の棚は、前傾状態のすれば棚の置くに載置した物の確認を行い易くなり、更に、この傾斜に沿って奥の物の取り出しがし易くなるが、傾斜載置に適さない物には好ましくない。また、背の高い冷蔵庫においては、その上部の貯蔵室の上部の棚の奥側への物品の収納がし難い問題が残る。
【０００４】
本発明は、このような点に鑑みて、背の高い冷蔵庫においても、その上部の貯蔵室の上部の棚の奥側への物品の収納と取り出しがし易い棚装置を提供する。また、物品の重量支持も安定した搬送ベルト方式を提供する。
【課題を解決するための手段】
【０００５】
第１の発明の棚装置は、貯蔵室の左右側壁に設けた棚支持部に載置した棚本体と、この棚本体の略横幅に渡る長さでもってこの棚本体の前部と後部に回転自在に取り付けたローラと、この前後のローラに架け渡されてこれらローラの回転と共に回転する搬送ベルトから構成され、前記棚本体は、前記ローラの左右端部と前記搬送ベルトの左右端部を覆って前記棚支持部に載置される左右支持枠と、この左右支持枠を連結するようにこの左右支持枠に水平状態に渡る棚板部を合成樹脂にて形成され、前記棚板部が前記搬送ベルト上に載置された物品の荷重支え部となることを特徴とする。
【０００６】
第２の発明は、第１の発明において、前記搬送ベルトにて搬送される物品の脱落防止用ストッパを前記左右支持枠の前端部に渡って設けたことを特徴とする。
【０００７】
第３の発明は、第１の発明において、前記左右支持枠の前端部に渡って前記搬送ベルトの前端部を覆う前カバーを設けたことを特徴とする。
【０００８】
第４の発明は、貯蔵室の左右側壁の棚支持部に載置される左右支持枠と、この左右支持枠に渡る長さを有してこの左右支持枠の前部と後部に回転自在に取り付けた前後のローラと、これらのローラに架け渡されてこれらのローラの回転と共に回転する搬送ベルトと、前記前後のローラ間に水平状態に近接配置されて前記左右支持枠に回転自在に取り付けた複数の中間ローラと、前記搬送ベルトを回転させるために前記左右支持枠に渡る長さを有して前記左右支持枠の前部に回転自在に取り付けた駆動ローラとからなる。
【発明の効果】
【０００９】
背の高い冷蔵庫においては、一般的に、その上部の貯蔵室の上部の棚の奥側への物品の収納がし難く、また、この上部の棚の奥側へ収納した物品の取り出しをし難いが、第１の発明では、貯蔵室の上部の棚の奥側への物品の収納も、またこの上部の棚の奥側へ収納した物品の取り出しも容易となる。しかも物品の重量は、棚板部が支えることによって、物品の支えも安定し、搬送ベルトの前後回転もスムーズに行えるものとなる。また、前後ローラの左右端部と搬送ベルトの左右端部を覆うことによって、左右支持枠との隙間を少なくして、この隙間へ小物が入り込むことや使用者の指が挟まれないような保護をなし、更に、棚装置の左右部分の見栄えが良くなる。
【００１０】
第２の発明は、搬送ベルトを前方へ回転させたとき棚装置上の物品はストッパによって前方への脱落が防止されるため、危険を回避できる。
【００１１】
第３の発明によって、搬送ベルトの保護と棚装置の前端部の見栄えが向上する。
【００１２】
第４の発明は、駆動ローラを使用者が回転させることによって、搬送ベルトが前後に回転するため、搬送ベルトを操作する場合に比して搬送ベルトの回転をし易くなる。この場合、物品の荷重は中間ローラによって支えられ安定する。なお、駆動ローラは、若干軟らかさが感じられる合成樹脂製の外皮を備えた歯車形状をなすものにすれば、操作し易く、且つ、搬送ベルトとの摩擦抵抗が大きくなって搬送ベルとの回転をし易くなる。
【発明を実施するための最良の形態】
【００１３】
本発明の棚装置は、貯蔵室の左右側壁に設けた棚支持部に載置した棚本体と、この棚本体の略横幅に渡る長さでもってこの棚本体の前部と後部に回転自在に取り付けたローラと、この前後のローラに架け渡されてこれらローラの回転と共に回転する搬送ベルトから構成され、前記棚本体は、前記棚支持部に載置される左右支持枠と、この左右支持枠を連結するようにこの左右支持枠に水平状態に渡る棚板部を合成樹脂にて形成され、前記棚板部が前記搬送ベルト上に載置された物品の荷重支え部となるものであり、以下に本発明の実施形態を記載する。
【実施例１】
【００１４】
次に、本発明の棚装置を貯蔵庫の一種である冷蔵庫に適用した実施形態について説明する。図１は本発明冷蔵庫の正面図、図２は本発明の冷蔵庫本体を正面から見た説明図、図３は本発明冷蔵庫の縦断側面図、図４は本発明の棚装置の斜視図、図５（Ａ）は搬送ベルトを透視した状態の本発明棚装置の平面図、図５（Ｂ）は（Ａ）図のＡ−Ａ断面図、図５（Ｃ）は（Ａ）図のＯ−Ｏ断面図、図６は図５（Ｂ）のＢ円拡大図、図７は図５（Ｃ）のＣ部拡大図、図８は前カバーを取り付けた状態の本発明棚装置の斜視図である。以下、実施例１について説明する。
【００１５】
実施例１に係る冷蔵庫１は、前面開口の本体２内を区画して複数の貯蔵室を形成し、これら各貯蔵室の前面は扉で開閉できる構成である。冷蔵庫本体２は外箱（外壁板）２Ａと内箱（内壁板）２Ｂとの間に発泡断熱材２Ｃを充填した断熱構造である。冷蔵庫本体２内には、上から冷蔵室３、冷凍室５、野菜室４が区画されて設けられている。
【００１６】
冷蔵室３の前面開口は、冷蔵庫本体２の一側部にヒンジ装置にて横方向に回動する回動式の冷蔵室扉１０にて開閉される。野菜室４の前面開口は、野菜室４内に設けた左右のレールとローラによる支持装置１８によって前後方向へ引き出し可能に支持した野菜容器１５と共に前方へ引き出される引き出し式扉１１にて閉塞されている。冷凍室５の前面開口は、冷蔵庫本体２の一側部にヒンジ装置にて横方向に回動する回動式の扉１２にて閉塞されているが、野菜室４と同様に、冷凍室内に設けた左右のレールに対して前後方向へ引き出し可能に支持した容器を扉１２と共に前方へ引き出される引き出し式とする構成でもよい。
【００１７】
冷蔵室３内には複数段に棚で構成した棚装置７０が、冷蔵室３の左右側壁に前後方向に水平状態に延びた棚支持部６１に着脱自在に載置されて設けられている。冷蔵室３内の底部にはその上方の冷蔵室３と最下段の平板状の棚８０にて区画された特定低温室９０が形成されている。棚８０は、冷蔵室３の左右側壁に前後方向に水平状態に延びた棚支持部６１に着脱自在に載置されている。
【００１８】
２０は冷凍サイクルの冷媒の圧縮機、２１は冷凍サイクルの冷媒の凝縮器である。２２は凝縮器２１の熱によって後述の除霜水を蒸発させるための蒸発皿であり、凝縮器２１上に載置して冷蔵庫本体２の前面下部から引き出し自在である。圧縮機２０、凝縮器２１、蒸発皿２２は、冷蔵庫本体２の下部に設けた機械室２３に設置されている。２４は冷凍室５の背面部に形成した冷却器室２６に設置した冷媒の蒸発器（冷却器）である。２５は蒸発器（冷却器）２４で冷却した冷気を冷凍室５、冷蔵室３、野菜室４へ循環する送風機である。２７は蒸発器（冷却器）２４の除霜用ガラス管ヒータである。蒸発器（冷却器）２４の除霜水は、排水管を通って蒸発皿２２へ導かれてそこで蒸発する。
【００１９】
上部に位置する冷蔵室３とその下部に位置する冷凍室５とは断熱仕切り壁２８にて区画されており、断熱仕切り壁２８は、インジェクション成形の合成樹脂製上板とインジェクション成形の合成樹脂製下板との間に、予め所定形状に成形された発泡スチロール等の断熱材が挟持された断熱構造をなしている。このような断熱仕切り壁２８は、冷蔵庫本体２の内箱（内壁板）２Ｂの左右側壁に前後方向に形成した溝と、内箱（内壁板）２Ｂの後壁に形成した前面開口の溝に冷蔵庫本体２の前面開口部から挿入されて取り付けられる構成である。
【００２０】
３２は冷蔵庫本体２の背壁の前面側に配設した冷蔵室３の背壁部材であり、合成樹脂製背面板とその裏側に取り付けた発泡スチロール等の断熱材との組み合わせ構成され、冷蔵室３の背面側に上下方向の冷気供給通路３５と、その左右両側に冷気通路３５Ａを形成している。
【００２１】
断熱仕切り壁２８の後部には、断熱仕切り壁２８を上下に貫通した冷気供給通路３６が形成され、冷気供給通路３６は、その下部が送風機２５から供給される冷気の導入部であり、上部が冷気供給通路３５に連通した配置である。冷気供給通路３６にはダンパ装置５０が取り付けられており、ダンパ装置５０は、冷蔵室３の温度を感知するセンサの温度感知に基づき制御回路部によって冷気供給通路３６を開閉する動作をする。このダンパ装置５０の開閉動作によって、冷蔵室３は所定の温度に制御される。
【００２２】
冷凍温度帯室である冷凍室５内は区画板（仕切り板）４７によって左側に冷凍温度に保たれる前面開口の製氷室６が、そして右側に冷凍温度に保たれる冷凍小室５Ａが区画形成され、製氷室６内には上部に自動製氷機７が配置され、その自動製氷機７の下方には上面開口の貯氷容器８が配置されている。貯氷容器８は、製氷室６の左右側壁に設けられたレール６Ａに前後方向へ引き出して取り外し自在に支持されている。レール６Ａの一部には窪み６Ａ１があり、この窪み６Ａ１に貯氷容器８の一部に形成した凸部が嵌って位置決めされる構成である。自動製氷機７は電動機構７Ａと電動機構７Ａによって回転駆動される製氷皿７Ｂを備えている。製氷室６は扉１２を開くことによってその前面開口は開放され、貯氷容器８を前方へ取り出し可能である。
【００２３】
製氷室６と冷凍小室５Ａの前面開口をそれぞれ別個の扉で開閉できるようにすることができる。この場合、それぞれ製氷室６内と冷凍小室５Ａ内に設けた左右のレールに対して前後方向へ引き出し可能に支持した各引き出し扉にて開閉可能に閉じる構成とすることができる。そして、製氷室６の引き出し扉の引き出しにて貯氷容器８を一緒に引き出し可能に構成し、また冷凍小室５Ａの引き出し扉の引き出しにて冷凍小室５Ａ内の容器を一緒に引き出し可能に構成すれば、製氷室６と冷凍小室５Ａを単独で使用できるようになり、利便性が向上すると共に、扉の開閉に伴う気漏れも少なくなる。
【００２４】
９は後述の自動製氷機７へ供給する製氷用水を貯める給水容器（貯水容器ともいう）であり、横幅に比して奥行きが長い矩形状をなし、特定低温室９０の横に区画壁４５で仕切って形成した小室４６に配置されており、冷蔵室３内の温度で冷却され、冷蔵室３の前面扉１０を開くことによって取っ手を持って給水容器９を冷蔵庫１の前方へ取り出すことができる。
【００２５】
冷蔵庫１は、圧縮機２０で圧縮した冷媒を凝縮器２１で凝縮した後、膨張弁又はキャピラリチューブを通して減圧し、蒸発器（冷却器）２４で蒸発させて圧縮機２０へ帰還せしめ、再び圧縮機２０で圧縮して同じ循環を繰り返す冷凍システムを構成する。蒸発器（冷却器）２４で冷却した冷気は送風機２５によって矢印のように循環する。即ち、送風機２５から送出される冷気は冷凍室５の背壁上部の冷気吹き出し口３７から冷凍室５と製氷室６の製氷皿７Ｂへ供給され、冷凍室５の背壁下部の冷気吸込み口３８から冷却器室２６に帰還して再び蒸発器（冷却器）２４にて冷却される循環をする。また、送風機２５から送出される冷気は、冷気供給通路３６を通って冷気供給通路３５へ供給され、冷気供給通路３５の左右両側に形成した冷気通路３５Ａに流通して冷蔵室３の背壁３２に形成した冷気吹き出し口３９から冷蔵室３と特定低温室９０へ供給される。給水容器９は、冷蔵室３の冷気によって冷却される。
【００２６】
冷蔵室３へ供給された冷気は、冷蔵室３の背壁３２の一側下部に形成した冷気吸込み口４０から吸い込まれて、冷凍室５の後方に形成した冷気通路４１を下方に流れて野菜室４の後部に開口した冷気吹き出し口４２から野菜室４に吹き出す。野菜室４に吹き出した冷気は、野菜容器１５内の野菜等を冷却して野菜室４の上部又は野菜室４の後部に開口した冷気吸込み口４３から冷却器室２６に帰還して再び蒸発器（冷却器）２４にて冷却される循環をする。
【００２７】
製氷用水は給水容器９からポンプによって汲み上げられて自動製氷機７の製氷皿７Ｂへ供給される方式でもよいが、実施例では自然落下方式によって給水路５１Ａを介して自動製氷機７の製氷皿７Ｂへ供給される構成を示している。製氷皿７Ｂは、長手方向を列方向として４個２列、５個２列、又は６個２列のように複数の製氷小室７Ｂ１に区分されて８乃至１２個の角型氷が作られる合成樹脂製である。また、貯氷容器８は、白色、透明、半透明又はその他の色の合成樹脂製であり、奥行きが左右幅に比して長い上面開口の箱状である。
【００２８】
棚支持部６１に着脱自在に載置された棚装置７０は、冷蔵室３の左右側壁に前後方向に水平状態に延びた棚支持部６１に渡る横幅をもつ棚本体７１と、棚本体７１の略横幅に渡る長さでもって棚本体７１の前部と後部に回転自在に取り付けたローラ７２、７３と、このローラ７２、７３に架け渡されてローラ７２、７３の回転と共に回転する搬送ベルト７４から構成されている。
【００２９】
棚本体７１は、冷蔵室３の左右側壁の棚支持部６１に載置される左右支持枠７５、７６と、左右支持枠７５、７６の前部から後部に連続する奥行きでもってこの左右支持枠７５、７６を連結するように左右支持枠７５、７６に水平状態に渡る棚板部７７を合成樹脂にて形成している。
【００３０】
棚板部７７は搬送ベルト７４の上辺７４Ａ上に載置される物品の荷重を支える部分である。即ち、搬送ベルト７４がローラ７２、７３に架け渡された状態で、棚板部７７は搬送ベルト７４の上面となる上辺７４Ａと下辺７４Ｂとの間に位置し、搬送ベルト７４の上辺７４Ａは棚板部７７の上面に接触又は略接触する状態で位置し、搬送ベルト７４の上辺７４Ａ上に載置される物品の荷重によって搬送ベルト７４の上辺７４Ａが下方へ撓み、物品の荷重は実質的に棚板部７７によって支えられる状態となる。搬送ベルト７４の上辺７４Ａと棚板部７７との摩擦抵抗を減少させると共に、搬送ベルト７４の上辺７４Ａ上に載置される物品の安定載置を確保するために、棚板部７７の上面には、左右に略等間隔ピッチで配列され、略棚板部７７の前後の長さに渡るように前後方向へ長く延びた多数の突起７８を一体に形成している。
【００３１】
ローラ７２、７３は、合成樹脂製又は金属製の円筒体または円柱体の外面が摩擦抵抗の大きな合成樹脂外皮又はゴム外皮で覆われた形態であり、ローラ７２、７３は左右支持枠７５、７６の前端部と後端部相互に渡るように左右支持枠７５、７６に回転自在に取り付けられている。また、搬送ベルト７４は合成樹脂製又はゴム製で構成され、前後のローラ７２、７３に一定の張力が得られる状態で架け渡されている。搬送ベルト７４とローラ７２、７３の両者の摩擦抵抗によって、使用者が指又は手で搬送ベルト７４を前方へ引き寄せるか後方へ押す操作によって、ローラ７２、７３の回転を伴って搬送ベルト７４の上辺７４Ａが前方又は後方へ移動し、これによって搬送ベルト７４の上辺７４Ａに載せた物品の前方への移動又は後方への収納が可能となる。
【００３２】
ローラ７２、７３の左右両端部と、搬送ベルト７４の左右両端部は、左右支持枠７５、７６の上壁７５Ａ、７６Ａによって覆われた形態をなし、左右支持枠７５、７６間における棚板部７７の上面全体を搬送ベルト７４の上辺７４Ａが覆う状態となる。このため、これらの搬送ベルト７４の左右両端部の保護と、この左右両端部と左右支持枠７５、７６との隙間を少なくして、この隙間へ小物が入り込むことや使用者の指が挟まれないような保護をなし、更に、棚装置７０の左右部分の見栄えを良好にしている。
【００３３】
棚装置７０の前端部近傍には物品の脱落防止用ストッパ７９を備えている。ストッパ７は左右支持枠７５、７６の前端部近傍相互間に渡るように左右支持枠７５、７６に固定されている。このため、ストッパ７９の下端は、搬送ベルト７４の上辺７４Ａの上面から若干上方に離れている。
【００３４】
このように構成された棚装置７０は、冷蔵室３の左右側壁の棚支持部６１に載置されるが、左右支持枠７５、７６の前端部が棚支持部６１の前端部の立ち上がり部に当接して、棚装置７０の前方への移動を制限する。また、棚装置７０の後方への移動は、冷蔵室３の背壁部材３２に当接して制限される。棚装置７０の前方と後方への移動制限は、他の構成でもよい。また、搬送ベルト７４の上辺７４Ａと下辺７４Ｂは、左右支持枠７５、７６の上下厚さＴの範囲内に納まっているため、棚装置７０を棚支持部６１に載置した場合にも、この搬送ベルト７４が棚支持部６１に当たることはない。
【００３５】
上記のような構成において、物品を棚装置７０上に載置し、使用者が指又は手で搬送ベルト７４の上辺７４Ａが後方へ移動するように、搬送ベルト７４の上辺７４Ａ又は下辺７４Ｂを操作することによって、ローラ７２、７３の回転を伴って搬送ベルト７４の上辺７４Ａが後方へ移動し、これによって搬送ベルト７４の上辺７４Ａに載せた物品を棚装置７０の後方へ収納できる。また、棚装置７０の奥側に載置した物品を取り出したいときには、使用者が指又は手で搬送ベルト７４の上辺７４Ａが前方へ移動するように、搬送ベルト７４の上辺７４Ａ又は下辺７４Ｂを操作することによって、ローラ７２、７３の回転を伴って搬送ベルト７４の上辺７４Ａが前方へ移動し、これによって搬送ベルト７４の上辺７４Ａに載せた物品が前方へ移動するため、棚装置７０の奥側に載置した物品の取り出しが容易となる。
【００３６】
背の高い冷蔵庫においては、一般的に、その上部の貯蔵室（上記の実施形態では冷蔵室３）の上部の棚の奥側への物品の収納がし難く、また、この上部の棚の奥側へ収納した物品の取り出しをし難いが、本発明の棚装置７０によって、冷蔵室３の上部の棚の奥側への物品の収納も、またこの上部の棚の奥側へ収納した物品の取り出しも容易となる。しかも物品の重量は、棚板部７７が支えることによって、物品Ｐの支えも安定し、搬送ベルト７４の前後回転もスムーズに行えるものとなる。また、ストッパ７９は設けなくてもよいが、ストッパ７９を設けたときには、搬送ベルト７４を前方へ回転させたとき、棚装置７０上の物品は、ストッパ７９によって前方への脱落が防止されるため、危険を回避できる。
【００３７】
本発明の棚装置７０は、搬送ベルト７４の前端部を覆うように、左右支持枠７５、７６の前端部に渡って前カバー８１を取り付けることによって、搬送ベルト７４の保護と棚装置７０の前端部の見栄えが向上する。この場合、ストッパ７９を設けない方が、搬送ベルト７４の回転操作をし易い。また、搬送ベルト７４は、図８のように、多数の横棒８２を帯状に組み合わせた形態でもよい。
【実施例２】
【００３８】
更に、図９には棚装置７０の他の実施形態を示している。この棚装置７０は、冷蔵室３の左右側壁の棚支持部６１に載置される左右支持枠７５、７６と、左右支持枠７５、７６に渡る長さを有して左右支持枠７５、７６の前部と後部に回転自在に取り付けたローラ７２、７３と、このローラ７２、７３に架け渡されてローラ７２、７３の回転と共に回転する搬送ベルト７４と、上記の棚板部７７に代えて左右支持枠７５、７６に渡る長さを有してローラ７２、７３間に水平状態に近接配置されて左右支持枠７５、７６に回転自在に取り付けた複数の中間ローラ８３と、搬送ベルト７４を回転させるために搬送ベルト７４に当接するように、左右支持枠７５、７６に渡る長さを有して左右支持枠７５、７６の前部に回転自在に取り付けた駆動ローラ８４を設けた構成である。
【００３９】
これにおいて、駆動ローラ８４を使用者が回転させることによって、搬送ベルト７４が前後に回転するため回転物品Ｐの取り出しと収納が可能となる。この場合、物品の荷重は、中間ローラ８３によって支えられ安定する。駆動ローラ８４は、操作する人の手に当たる感触を和らげることと、搬送ベルト７４との摩擦抵抗を大きくするために、若干軟らかさが感じられる合成樹脂製の外皮を備えた歯車形状をなすものにすれば、操作し易く、且つ、搬送ベルトとの摩擦抵抗が大きくなって搬送ベルとの回転をし易くなる。そして、駆動ローラを使用者が回転させることによって、搬送ベルトが前後に回転するため、搬送ベルトを操作する場合に比して搬送ベルトの回転をし易くなる。この場合、物品の荷重は中間ローラによって支えられ安定する。
【産業上の利用可能性】
【００４０】
本発明の棚装置の採用によって、貯蔵室内の物品の取り出し収納がし易くなるため、冷蔵庫又は他の貯蔵庫の形態は限定されず、本発明の技術的範囲を逸脱しない限り種々の変更が考えられ、それに係る種種の実施形態を包含するものである。
【図面の簡単な説明】
【００４１】
【図１】本発明冷蔵庫の正面図である。（実施例１）
【図２】本発明の冷蔵庫本体を正面から見た説明図である。（実施例１）
【図３】本発明冷蔵庫の縦断側面図である。（実施例１）
【図４】本発明の棚装置の斜視図である。（実施例１）
【図５】（Ａ）は搬送ベルトを透視した状態の本発明棚装置の平面図、（Ｂ）は（Ａ）図のＡ−Ａ断面図、（Ｃ）は（Ａ）図のＯ−Ｏ断面図である。（実施例１）
【図６】図５（Ｂ）のＢ円拡大図である。（実施例１）
【図７】図５（Ｃ）のＣ部拡大図である。
【図８】前カバーを取り付けた状態の本発明棚装置の斜視図である。（実施例１）
【図９】本発明第２実施例に係る棚装置の断面図である。（実施例２）
【符号の説明】
【００４２】
１・・・冷蔵庫
２・・・冷蔵庫本体
３・・・冷蔵室
４・・・野菜室
５・・・冷凍室
２４・・冷却器
２５・・送風機
６１・・棚支持部
７０・・棚装置
７１・・棚本体
７２、７３・・前後ローラ
７４・・搬送ベルト
７５、７６・・左右支持枠
７７・・棚板部
７８・・突起
７９・・ストッパ
８１・・前カバー
８３・・中間ローラ
８４・・駆動ローラ
【図１】
2005207707.tif 000003
【図２】
2005207707.tif 000004
【図３】
2005207707.tif 000005
【図４】
2005207707.tif 000006
【図５】
2005207707.tif 000007
【図６】
2005207707.tif 000008
【図７】
2005207707.tif 000009
【図８】
2005207707.tif 000010
【図９】
2005207707.tif 000011